(57)【特許請求の範囲】
【請求項１】
携帯可能な収納ケース（４）内に、案内表示盤との通信手段（３）と当該通信手段と接続した装置本体（２）とを収納してなる案内表示盤の保守試験装置（１）であって、
前記装置本体（２）は、
文字をパターンとして記憶する文字パターン記憶部（８ｂ）と案内表示盤に登録されるパターン情報を記憶したパターン情報記憶部（８ａ）からなる記憶手段（８）と、
パターンを構成する文字を１文字づつ編集するユニット編集枠定義部（１１ａ）と、編集した各文字を並べて１つの文字例を形成してパターン情報とする編集枠定義部（１１ｂ）と、前記文字パターン記憶部（８ａ）に記憶された文字パターンとパターン情報記憶部（８ａ）に記憶されたパターン情報を読み出して前記編集枠定義部（１１ｂ）のパターン変更に供する読込処理部（１２）と、作成したパターン情報を登録番号に対応付けて前記パターン情報記憶部（８ａ）に記憶させる記憶処理部（１６）とを有するパターン作成記憶処理手段（７）と、
前記記憶されたパターン情報の登録番号の入力を受け付け、入力された登録番号のパターン情報を前記通信手段（３）を介して案内表示盤に伝送し登録させるパターン登録処理手段（６）と、
前記通信手段（３）を介して案内表示盤に登録したパターン情報の確認試験を行う表示板試験処理手段（７）と、
前記編集枠や試験結果を表示するとともに各処理手段の操作入力を行うための表示操作手段（９）とを有した構成を具備し、
通信手段（３）を介して案内表示盤に接続した状態で、外部システムの制約を受けずに、パターン作成記憶処理手段（５）によって新規にパターン情報を作成して、又は案内表示盤において失われたパターン情報を記憶手段（８）から読み出してパターン作成記憶処理手段（５）において復元して、これを案内表示盤に伝送して登録するとともに、当該登録された案内表示盤のパターン情報の確認試験を行えるように構成してある案内表示盤の保守試験装置。
【発明の詳細な説明】
【０００１】
【発明の属する技術分野】
本発明は、駅、空港等の構内やバスの停留所に設置して発車時刻や行き先などの案内表示を行う案内表示盤の試験及び保守に用いることのできる案内表示盤の保守試験装置に関する。
【０００２】
【従来の技術】
駅や空港などの構内には、近年、ＬＥＤ表示による案内表示盤が数多く設置されている。この種の表示盤は、例えば、鉄道の駅構内に設置されるものとして、電車の発車時刻や行先或いは乗り場案内などの表示を行うもの（以下「発車標」という）があり、バスの停留所ならバスの接近を案内する案内表示盤がある。
【０００３】
このうち、発車標は、駅構内で普段目にする表示盤に対し、これの表示内容を制御する制御装置を電気的に接続した１つのシステム（発車標システム）を構成し、表示盤の表示内容を特定の制御装置により制御及び管理するようになっていた。また、表示内容の変更や新規導入時などに行われる確認試験も発車標システムを構成する制御装置を利用して行われていた。
【０００４】
ところが、駅構内には発車標システムのほかに自動放送、列車制御（運行管理）或いはポイントの切替えなどを制御する別の外部システムが備えられている。近年この外部システムを統合化する傾向が強くなりつつあり、発車標システム内の確認試験機能も制御装置から徐々にこの外部システムの中に取り込まれつつあった。こうしたことから、確認試験機能は、外部システムの運用に支障を来さない夜間に行わざるを得ないなど、その外部システムの制約を受けることが多くあった。
【０００５】
そこで従来から、外部システムの制約を受けずに必要に応じて確認試験を行うことを目的として、確認試験機能を搭載した携帯用発車標試験装置が発案され、すでに利用されることとなっていた。
【０００６】
【発明が解決しようとする課題】
一方、発車標の試験は、定期的に行う場合はもとより、表示盤の故障に伴う修理後の正常動作確認、さらにはダイヤ改正の際にも行われるが、特に故障箇所を修理した後に行われる正常動作の確認は、早期現状復帰のため、できるだけ早く行わねばならないという迅速性を必要としている。ところが、従来の発車標試験装置は、確認試験機能を備えるに留まるものであったために次のような問題点があった。
【０００７】
表示盤は、通常、文字を適当に組み合わせたもの（パターン）を予め基板に登録して、登録したパターンを読出して表示するようになっており、故障内容によってはパターンを登録した基板をまるごと交換し、パターン未登録状態で新たな基板を取り付けねばならなかった。パターンの未登録状態では新たな基板を装着しても正常に動作するか否か（表示内容が正しいか否か）を確認することができないから、制御装置から新たなパターンを登録した上で動作確認をしなければならない。しかし、制御装置は、通常業務の運用を主体として用いられるものであるから、パターンの登録作業は通常業務に支障を来さない夜間に行うほかなく、この関係で基板交換後の確認作業が遅れ、現状復帰も遅れがちになるという問題点があったのである。
【０００８】
そこで、本発明者は、この問題を解決するための手段を検討したところ、試験装置に保守機能を兼備させることができれば、確認試験を迅速に行えるのではないかということを着想するにいたり、本発明の完成にいたったものである。
【０００９】
【課題を解決するための手段】
上記課題を解決するため本発明は、携帯可能な収納ケース内に、案内表示盤との通信手段と当該通信手段と接続した装置本体とを収納してなる案内表示盤の保守試験装置であって、前記装置本体は、文字をパターンとして記憶する文字パターン記憶部と案内表示盤に登録されるパターン情報を記憶したパターン情報記憶部からなる記憶手段と、パターンを構成する文字を１文字づつ編集するユニット編集枠定義部と、編集した各文字を並べて１つの文字例を形成してパターン情報とする編集枠定義部と、前記文字パターン記憶部に記憶された文字パターンとパターン情報記憶部に記憶されたパターン情報を読み出して前記編集枠定義部のパターン変更に供する読込処理部と、作成したパターン情報を登録番号に対応付けて前記パターン情報記憶部に記憶させる記憶処理部とを有するパターン作成記憶処理手段と、前記記憶されたパターン情報の登録番号の入力を受け付け、入力された登録番号のパターン情報を前記通信手段を介して案内表示盤に伝送し登録させるパターン登録処理手段と、前記通信手段を介して案内表示盤に登録したパターン情報の確認試験を行う表示板試験処理手段と、前記編集枠や試験結果を表示するとともに各処理手段の操作入力を行うための表示操作手段とを有した構成を具備し、通信手段を介して案内表示盤に接続した状態で、外部システムの制約を受けずに、パターン作成記憶処理手段によって新規にパターン情報を作成して、又は案内表示盤において失われたパターン情報を記憶手段から読み出してパターン作成記憶処理手段において復元して、これを案内表示盤に伝送して登録するとともに、当該登録された案内表示盤のパターン情報の確認試験を行えるように構成してある案内表示盤の保守試験装置。
【００１０】
この保守試験装置は、表示盤試験処理手段とともに、パターン情報を作成して案内表示盤に登録するための手段を備えているので、当該装置だけで表示盤故障後の確認試験を行って迅速に対処することができる。
【００１２】
【発明の実施の形態】
以下、本発明にかかる案内表示盤の保守試験装置の一例として好適な実施の形態について、図面を参照しつつ説明する。
【００１３】
図１は、案内表示盤の保守試験装置の一例となる保守試験装置１を図示したものである。
保守試験装置１は、図に示すように、装置本体２に通信手段３を電気的に接続して構成され、両者を図２に示すような携帯可能な収納ケース４に納めたものである。
【００１４】
装置本体２は、パターン作成記憶処理手段５、パターン登録処理手段６、表示盤試験処理手段７、記憶手段８及び表示操作手段９を内蔵しており、すべて電気的に接続してある。ここでは、装置本体２として、いわゆるノート型のパーソナルコンピューターを想定してあるが、これに限定されるものではない。
【００１５】
通信手段３は、装置本体２と表示盤１０との間における情報交換を行うために設けたものである。具体的には、装置本体２側におけるＲＳ−２３２Ｃケーブルの信号を表示盤１０側におけるＲＳ−４２２ケーブルの信号に変換して情報交換を行うＳＹＳ３３６基板を中心に構成することができる。
【００１６】
収納ケース４は、図２に示すように、携帯容易に構成したトランク型のケースであって、装置本体２を着脱自在に収納するとともに、ＡＣアダプター４ａ，接続コネクター４ｂを収納して構成してある。
【００１７】
パターン作成記憶処理手段５は、図３に示すような１１〜１７で示される複数の処理部から構成されている。ここで、１１は、編集枠定義部であって、パターンとして表示するための文字を１文字づつ編集するためのユニット編集枠定義部１１ａと、ユニット編集枠定義部１１ａで編集した文字を並べて文字列を形成して、これをパターンとするためのパターン編集枠定義部１１ｂとからなるものである。１２は、読込処理部であって、予め後述の記憶部８ｂに記憶してある文字パターンを読み込むための文字パターン読込処理部１２ａと、既に生成して記憶されたパターン情報を読み込むためのパターン情報読込処理部１２ｂとからなっている。１３は編集処理部、１４は複写処理部であり、そして１５は生成したパターンの発光する色を指定する着色指定部、１６は生成したパターン情報を記憶する記憶処理部、１７は読取処理部である。これら各処理部の作用については後述する。
【００１８】
表示盤試験処理手段７は、図４に示すような１８〜２１で示される複数の処理部から構成されている。ここで、１８は表示内容作成部、１９は表示内容送信部であって、２０は検出部、２１は受信部である。
【００１９】
記憶手段８は、新規に生成したパターン情報を記憶したり生成済みのパターン情報を変更して再度記憶するためのパターン情報記憶部８ａと、当用漢字やひらがな或いは片仮名のような汎用性の高い文字を文字パターンとして記憶してある文字パターン記憶部８ｂとからなっている。
【００２０】
表示操作手段９は、編集枠を表示したり、試験の結果を表示するための液晶表示その他の表示画面と、パターン生成または変更のための操作入力や生成したパターン情報の登録処理などの操作入力を行うためのキーボードまたは及びマウスとからなっている。
【００２１】
次に、保守試験装置１の作用について、その使用方法を考慮しつつ説明する。本発明にかかる保守試験装置１は、ＬＥＤ表示式の表示盤を確認試験の主な対象として構成したものであるが、いわゆる反転式表示盤（パターンを表示した板状の反転翼を多数連結して一枚づつ回転させながら表示できるようにしたもの）についても適用できるのはいうまでもない。まず、ＬＥＤ表示式の表示盤の保守試験を行う場合を例にとって説明すると以下のようになる。
【００２２】
ＬＥＤ表示式表示盤の一例として、図５に示すような表示盤２２がある。この表示盤２２は、保守試験装置１からの信号を入力するコネクタ基板２２ａと、ＣＰＵ基板２２ｂ、メモリ信号変換基板２２ｃ、表示信号制御基板２２ｄとを電気的に接続し、さらに、この表示信号制御基板２２ｄに対して表示段分岐基板２２ｅを接続するとともに、表示器２２ｆを電気的に接続して構成したものである。そして、この表示盤２２は、保守試験装置１からパターン情報を受信すると、各パターン情報ごとに管理情報を付与して管理情報付パターン情報としてメモリ信号変換基板２２ｃに記憶することができるようになっている。この管理情報付パターン情報に対応するパターンを表示器２２ｆに表示させる場合には、記憶した管理情報付パターン情報を表示段分岐基板２２ｅにて適宜分岐させて行うようになっている。
【００２３】
以下では、この表示盤２２に何らかの故障が発生し、パターン情報を登録した基板（メモリ信号変換基板２２ｃ）を交換した後に行う確認試験を想定して説明する。
【００２４】
かかる確認試験を行うに先立ち、まず表示盤２２に表示するパターンをパターン情報として登録しなければならない。このとき、保守試験装置１において既に生成してあるパターン情報を後述する登録処理を行って再度登録し、失われたパターン情報を復元させるようにしてもよく、或いはまったくの新規パターンを生成し直してこれを新規登録しても良い。
【００２５】
パターン情報を表示盤２２に再登録する場合は、それに先立ち保守試験装置１で登録すべきパターン情報を生成する。これは、保守試験装置１でパターン情報を新規に生成するか或いは保守試験装置１内に記憶済のパターン情報を変更することによって行うことができる。パターン情報の新規生成は次の手順で行う。
【００２６】
先ず、表示操作手段９を操作して編集枠定義部１１を起動する。編集枠定義部１１には、ユニット編集枠定義部１１ａと、パターン編集枠定義部１１ｂとがあるが、差し当たってユニット編集枠定義部１１ａを起動する。このユニット編集枠定義部１１ａは、表示操作手段９の表示画面上に図６に示すようなユニット編集枠２３を表示して、これを文字編集エリアとして確保するものである。このユニット編集枠２３は、多数のＬＥＤの集合体であって、各ＬＥＤのＯＮ／ＯＦＦの組合わせによって１つの文字を定義するための編集領域である。ここには、文字パターン記憶部８ｂから記憶済み汎用文字パターンを読み出してよく、或いは表示操作手段９を操作して特殊な文字を表示しつつ作成することができる。こうして、作成された文字パターンは、保守試験装置１内においては、ユニット文字情報として把握されている。
【００２７】
続いて、表示操作手段９を操作してパターン編集枠定義部１１ｂを起動する。このパターン編集枠定義部１１ｂは、１つの文字列を編集してパターンを生成するための編集枠２４を表示して、これを文字編集エリアとして確保するものである。図に示したものは、４つの文字から１つの文字列を形成し、これをパターン情報とするためのＬＥＤ表示による編集領域を備えている。ここには、ユニット編集枠２３に表示しつつ作成したユニット文字情報を転記することができる。ユニット文字情報を転記するためには、複写処理部１４を起動する。この複写処理部１４を起動すると、ユニット編集枠２３上の文字を編集枠２４上に複写（対応するユニット文字情報を転記する）することができ、一文字づつ転記しながら同じ操作を繰り返すと所望の文字列を生成（対応するパターン情報を生成）することができる。なお必要に応じて着色指定部１５を起動することもでき、そうすると、生成したパターンを表示させる際の色（例えばオレンジ色や緑など）を指定することができる。
【００２８】
こうして作成したパターン情報は、記憶処理部１６を起動することによってパターン情報記憶部８ａに記憶させることができる。この記憶処理部１６を起動すると、パターン情報に対して１対１で対応する登録番号を入力するための画面が表示操作手段９に表示される。ここから所望の登録番号を入力して登録番号付パターン情報として記憶部８ａに記憶させる。こうして、パターン情報は記憶部８ａ上は登録番号ごとに記憶管理されることになる。
【００２９】
記憶済のパターンを変更する場合は以下のようにして行う。まずパターン情報読込処理部１２ｂを起動してパターン情報記憶部８ａに記憶済のパターン情報を読込むとともに、パターン編集枠定義部１１ｂを起動し、このとき読み込んだパターン情報に対応するパターンを編集枠２４に表示させる。そして、ユニット編集枠定義部１１ａを起動するとともに、複写処理部１４を起動し、編集枠２４から変更の必要な各文字ごとにユニット編集枠２３に転記する（対応するユニット文字情報を複写する）。転記後にユニット編集枠２３上で必要な訂正を加え、後は上記新規作成の場合と同様にして変更後のパターンに対応するパターン情報をパターン情報記憶部８ａに記憶させる。
【００３０】
以上のようにしてパターン（対応するパターン情報）を作成した後、次にパターンを表示盤２２に登録する。この場合の手順は、以下の通りである。まず、表示操作手段９を操作してパターン登録処理手段６を起動する。すると、登録すべきパターンを特定するための登録番号の入力画面が表示され、これに所望の番号を入力すると、当該入力番号に対応するパターン情報が通信手段３を介して表示盤２２に伝送される。表示盤２２では、パターン情報を受信すると、コネクタ基板２２ａと、ＣＰＵ基板２２ｂを経由してメモリ信号変換基板２２ｃにパターン情報を記憶して登録する。このとき、基板２２ｃにおいては、各パターン情報に１対１に対応する管理情報を付与し、パターン情報を管理情報とともに登録する。なお、登録したパターン情報を表示器２２ｆに表示させる場合には、登録したパターン情報に対し、表示段分岐基板２２ｅが管理情報に応じて表示器２２ｆの表示パネルを適宜分岐させて行う。
【００３１】
パターン情報を表示盤２２に登録すると、表示盤２２の確認試験を行うことができる。確認試験は、表示盤試験処理手段７を起動して行われるもので、保守試験装置１から表示盤２２に対し、確認試験情報（表示させるパターンに対応するパターン情報を特定する管理情報と、制御データなど）を送信する工程と、表示盤２２側でその確認試験情報を正常に受信したか否か及び正常に表示したかを保守試験装置１に返送する工程と、この返送結果を保守試験装置１において判定する工程とからなっている。
【００３２】
まず、確認試験情報の送信工程は、表示内容作成部１８と、表示内容送信部１９とを起動して行われる。表示内容作成部１８は、表示盤２２に登録したパターン情報を特定するための管理情報のほか、表示方法を制御するための制御情報を表示操作手段９を操作して生成するものである。確認試験情報を生成したら、表示内容送信部１９を起動し、生成した確認試験情報が通信手段３を介して表示盤２２に伝送する。
【００３３】
これにつづく試験結果の返送工程は、表示盤２２が正常受信の受信確認コードと、表示が正常か否かを確認した結果に対応する表示確認コードとを生成し、生成した受信確認コードと表示確認コードとを通信手段３を介して保守試験装置１に返送するというものである。前者の受信確認コードは、確認試験情報を受信する際に正常に受信した場合に生成されるものである。後者の表示確認コードは、受信した確認試験情報に含まれている管理情報に対応するパターン情報の表示処理その他所定の処理を行い、これを正常に行えたか或いは異常があったか等の結果に応じて生成されるものである。
【００３４】
一方、保守試験装置１においては、受信部２１を起動して、受信確認コードと表示結果コードとを通信手段３を介して受信すると、受信したコード情報の内容を検出部２０により検出する。この処理によって、試験結果の判定が行われる。判定結果は表示操作手段９の表示画面上に表示される。
【００３５】
以上のように本発明にかかる保守試験装置１は、パターンを新規生成または変更した上で表示盤に登録する手段を備えているため、基板の交換を伴う表示盤の故障があっても、本装置だけで登録の必要なパターン情報を登録して確認試験を行うことができる。これなら、従来の試験装置のように制御装置に頼らずに確認試験を行え、その制約を受けることもない。したがって、故障後の復帰を早めることができる。
【００３６】
また、保守試験装置１では、ＬＥＤ表示式だけではなく反転式の表示盤についても確認試験を行うことができる。この場合は、次のようにして行う。反転式表示盤は、パターンを表示した多数の反転翼を備えており、各反転翼には１対１で対応するコード情報が付与されている。そして、表示盤は、現在表示しているのがどのパターンであるのかを各反転翼に付与したコード情報によって管理している。別のパターンを表示させたい場合には、制御装置から、回転して移動させるべき反転翼の枚数に対応するコード情報を送り込み、これを受信した表示盤は、コード情報に対応する枚数だけ反転翼を回転させるというものである。
【００３７】
このような反転式表示盤の確認試験を行うには、表示内容作成部において、適当なコード情報を生成して、これを表示盤に送り込み、表示盤側では受信したコード情報に対応して妥当な処理ができたか否かを示し表示確認コードを生成してこれを受信確認コードととともに保守試験装置１に返送し、保守試験装置１においてこれを検出する。試験結果の表示その他の処理は、ＬＥＤ表示の表示盤２２と略同様である。
【図面の簡単な説明】
【図１】本発明にかかる保守試験装置の内部構成の一例を示すブロック図である。
【図２】本発明にかかる保守試験装置の外部構成の一例を示し、（Ａ）は開蓋状態の平面図，（Ｂ）は蓋部の平面図である。
【図３】保守試験装置のパターン作成記憶処理手段の一例を示すブロック図である。
【図４】表示盤試験処理手段の一例を示すブロック図である。
【図５】表示盤の内部構成の一例を示すブロック図である。
【図６】表示操作手段の表示画面レイアウトの一例を示す画面レイアウト図である。
【符号の説明】
１      保守試験装置
２      装置本体
３      通信手段
５      パターン作成記憶処理手段
６      パターン登録処理手段
７      表示盤試験処理手段
８      記憶手段
９      表示操作手段
10      表示操
11      編集枠定義部
16      記憶処理部
23      ユニット編集枠
24      編集枠
【図１】
0004188469.tif 000002
【図２】
0004188469.tif 000003
【図３】
0004188469.tif 000004
【図４】
0004188469.tif 000005
【図５】
0004188469.tif 000006
【図６】
0004188469.tif 000007